【手続補正書】
【提出日】平成17年8月26日(2005.8.26)
【手続補正１】
【補正対象書類名】明細書
【補正対象項目名】発明の名称
【補正方法】変更
【補正の内容】
【発明の名称】情報処理装置およびその制御方法および携帯端末およびその制御方法および情報処理プログラム
【手続補正２】
【補正対象書類名】明細書
【補正対象項目名】特許請求の範囲
【補正方法】変更
【補正の内容】
【特許請求の範囲】
【請求項１】  デジタルコード情報が含まれた画像情報を入力する画像情報入力手段と、
前記画像情報入力手段により入力された画像情報の画像を撮影した携帯端末を特定する特定情報を入力する特定情報入力手段と、
前記画像情報入力手段により入力された画像情報からデジタルコード情報を抽出する抽出手段と、
前記抽出手段により抽出されたデジタルコード情報に対応する付加情報を、前記特定情報入力手段により入力された特定情報により特定される携帯端末に向けて出力する付加情報出力手段と
を備えることを特徴とする情報処理装置。
【請求項２】  前記入力手段により入力された画像情報の画像に類似する類似画像を検索する検索手段
を備え、
前記付加情報出力手段は、
前記検索手段により検索された類似画像に対応する付加情報を前記特定情報入力手段により入力された特定情報により特定される携帯端末に向けて出力する
ことを特徴とする請求項１記載の情報処理装置。
【請求項３】  前記付加情報出力手段は、
前記抽出手段により抽出されたデジタルコード情報により示される付加情報または前記検索手段により検索された類似画像に対応する付加情報のいずれか一方を優先的に出力する
ことを特徴とする請求項２記載の情報処理装置。
【請求項４】  前記付加情報出力手段による付加情報の出力に対応して課金情報を生成する課金情報生成手段
を備え、
前記課金情報生成手段は、
前記抽出手段により抽出されたデジタルコード情報により示される付加情報を出力する場合と前記検索手段により検索された類似画像に対応する付加情報を出力する場合とで課金額を異ならせる
ことを特徴とする請求項３記載の情報処理装置。
【請求項５】  前記課金情報生成手段は、
前記抽出手段により抽出されたデジタルコード情報により示される付加情報を出力する場合の課金額を前記検索手段により検索された類似画像に対応する付加情報を出力する場合の課金額より高い課金額を生成する
ことを特徴とする請求項４記載の情報処理装置。
【請求項６】  前記付加情報出力手段は、
前記抽出手段によるデジタルコード情報の抽出が行なえなかった場合に前記検索手段により検索された類似画像に対応する付加情報を出力する
ことを特徴とする請求項３記載の情報処理装置。
【請求項７】  前記付加情報出力手段は、
前記抽出手段により抽出されたデジタルコード情報により示される付加情報と前記検索手段により検索された類似画像に対応する付加情報との両方を出力する
ことを特徴とする請求項２記載の情報処理装置。
【請求項８】  前記付加情報は、
前記抽出手段により抽出されたデジタルコード情報と前記検索手段により検索された類似画像との両方に対応する
ことを特徴とする請求項２記載の情報処理装置。
【請求項９】  前記付加情報送信手段により送信される付加情報は、
情報が蓄積されている場所を示す場所情報である
ことを特徴とする請求項１記載の情報処理装置。
【請求項１０】  前記付加情報送信手段は、
付加情報をメールで出力する
ことを特徴とする請求項１記載の情報処理装置。
【請求項１１】  デジタルコード情報が含まれた画像を撮影する撮影手段と、
前記撮影手段により撮影された画像の画像情報を外部装置に送信する送信手段と、
前記送信手段により送信された画像情報に含まれるデジタルコードに対応する付加情報を入力する付加情報入力手段と
を備えることを特徴とする携帯端末。
【請求項１２】  付加情報入力手段により入力された付加情報は、
情報が蓄積されている場所を示す場所情報であり、
該場所情報に基づき情報の送信を要求する要求手段
を備えることを特徴とする請求項１１記載の携帯端末。
【請求項１３】  デジタルコード情報が含まれた画像情報を画像情報入力手段により入力するとともに、
前記画像情報入力手段により入力された画像情報の画像を撮影した携帯端末を特定する特定情報を特定情報入力手段により入力し、
前記画像情報入力手段により入力された画像情報からデジタルコード情報を抽出手段により抽出し、
前記抽出手段により抽出したデジタルコード情報に対応する付加情報を付加情報出力手段により前記特定情報により特定される携帯端末に向けて出力する
ことを特徴とする情報処理装置の制御方法。
【請求項１４】  前記画像情報入力手段により入力された画像情報の画像に類似する類似画像を検索手段により検索し、
前記検索手段により検索した類似画像に対応する付加情報を前記特定情報特定情報により特定される携帯端末に向けて出力する
ことを特徴とする請求項１３載の情報処理装置の制御方法。
【請求項１５】  前記抽出手段により抽出されたデジタルコード情報により示される付加情報または前記検索手段により検索された類似画像に対応する付加情報のいずれか一方を前記特定情報により特定される携帯端末に向けて優先的に出力する
ことを特徴とする請求項１４記載の情報処理装置の制御方法。
【請求項１６】  前記付加情報の出力に対応して課金情報を課金情報生成手段により生成し、
前記抽出手段により抽出したデジタルコード情報により示される付加情報を出力する場合と前記検索手段により検索した類似画像に対応する付加情報を出力する場合とで課金額を異ならせる
ことを特徴とする請求項１５記載の情報処理装置の制御方法。
【請求項１７】  前記抽出手段により抽出したデジタルコード情報により示される付加情報を出力する場合の課金額を前記検索手段により検索した類似画像に対応する付加情報を出力する場合の課金額より高い課金額を生成する
ことを特徴とする請求項１６記載の情報処理装置の制御方法。
【請求項１８】  前記抽出手段によりデジタルコード情報の抽出が行なえなかった場合に前記検索手段により検索した類似画像に対応する付加情報を出力する
ことを特徴とする請求項１５記載の情報処理装置の制御方法。
【請求項１９】  前記抽出手段により抽出されたデジタルコード情報により示される付加情報と前記検索手段により検索された類似画像に対応する付加情報との両方を出力する
ことを特徴とする請求項１４記載の情報処理装置の制御方法。
【請求項２０】  前記付加情報は、前記抽出手段により抽出されたデジタルコード情報と前記検索手段により検索された類似画像との両方に対応する
ことを特徴とする請求項１４記載の情報処理装置の制御方法。
【請求項２１】  前記付加情報送信手段により送信される付加情報は、情報が蓄積されている場所を示す場所情報である
ことを特徴とする請求項１３記載の情報処理装置の制御方法。
【請求項２２】  前記付加情報は、メールで出力される
ことを特徴とする請求項１３記載の情報処理装置の制御方法。
【請求項２３】  デジタルコード情報が含まれた画像を撮影手段により撮影し、
前記撮影手段により撮影した画像の画像情報を送信手段により外部装置に送信し、
前記送信手段により送信した画像情報に含まれるデジタルコードに対応する付加情報を付加情報入力手段により入力する
ことを特徴とする携帯端末の制御方法。
【請求項２４】  前記付加情報入力手段により入力された付加情報は、情報が蓄積されている場所を示す場所情報であり、
該場所情報は情報の送信を要求するために用いられる
ことを特徴とする請求項２３記載の携帯端末の制御方法。
【請求項２５】  デジタルコード情報が含まれた画像情報を入力するステップと、
該入力された画像情報の画像を撮影した携帯端末を特定する特定情報を入力するステップと、
前記入力された画像情報からデジタルコード情報を抽出するステップと、
該抽出したデジタルコード情報に対応する付加情報を付加情報出力手段により前記特定情報により特定される携帯端末に向けて出力するステップと
を含む情報処理をコンピュータにより実行させることを特徴とする情報処理プログラム。
【手続補正３】
【補正対象書類名】明細書
【補正対象項目名】０００１
【補正方法】変更
【補正の内容】
【０００１】
【産業上の利用分野】
この発明は、情報処理装置およびその制御方法および携帯端末およびその制御方法および情報処理プログラムに関し、特に、コード情報埋込画像を用いて情報サービスを提供する情報処理装置およびその制御方法および携帯端末およびその制御方法および情報処理プログラムに関する。
【手続補正４】
【補正対象書類名】明細書
【補正対象項目名】０００７
【補正方法】変更
【補正の内容】
【０００７】
そこで本発明は、携帯端末に解析部を備える必要性なしに、撮影画像からデジタルコードを抽出し、このデジタルコードに対応する付加情報を携帯端末で利用可能にした情報処理装置およびその制御方法および携帯端末およびその制御方法および情報処理プログラムを提供することを目的とする。
【手続補正５】
【補正対象書類名】明細書
【補正対象項目名】００２０
【補正方法】変更
【補正の内容】
【００２０】
また、請求項１３の発明の情報処理装置の制御方法は、デジタルコード情報が含まれた画像情報を画像情報入力手段により入力するとともに、前記画像情報入力手段により入力された画像情報の画像を撮影した携帯端末を特定する特定情報を特定情報入力手段により入力し、前記画像情報入力手段により入力された画像情報からデジタルコード情報を抽出手段により抽出し、前記抽出手段により抽出したデジタルコード情報に対応する付加情報を付加情報出力手段により前記特定情報により特定される携帯端末に向けて出力することを特徴とする。
【手続補正６】
【補正対象書類名】明細書
【補正対象項目名】００２１
【補正方法】変更
【補正の内容】
【００２１】
また請求項１４の発明は、請求項１３の発明において、前記画像情報入力手段により入力された画像情報の画像に類似する類似画像を検索手段により検索し、前記検索手段により検索した類似画像に対応する付加情報を前記特定情報により特定される携帯端末に向けて出力することを特徴とする。
【手続補正７】
【補正対象書類名】明細書
【補正対象項目名】００２２
【補正方法】変更
【補正の内容】
【００２２】
また、請求項１５の発明は、請求項１４の発明において、前記抽出手段により抽出されたデジタルコード情報により示される付加情報または前記検索手段により検索された類似画像に対応する付加情報のいずれか一方を前記特定情報により特定される携帯端末に向けて優先的に出力することを特徴とする。
【手続補正８】
【補正対象書類名】明細書
【補正対象項目名】００２３
【補正方法】変更
【補正の内容】
【００２３】
また、請求項１６の発明は、請求項１５の発明において、前記付加情報の出力に対応して課金情報を課金情報生成手段により生成し、前記抽出手段により抽出したデジタルコード情報により示される付加情報を出力する場合と前記検索手段により検索した類似画像に対応する付加情報を出力する場合とで課金額を異ならせることを特徴とする。
【手続補正９】
【補正対象書類名】明細書
【補正対象項目名】００２４
【補正方法】変更
【補正の内容】
【００２４】
また、請求項１７の発明は、請求項１６の発明において、前記抽出手段により抽出したデジタルコード情報により示される付加情報を出力する場合の課金額を前記検索手段により検索したさ類似画像に対応する付加情報を出力する場合の課金額より高い課金額を生成することを特徴とする。
【手続補正１０】
【補正対象書類名】明細書
【補正対象項目名】００２５
【補正方法】変更
【補正の内容】
【００２５】
また、請求項１８の発明は、請求項１５の発明において、前記抽出手段によりデジタルコード情報の抽出が行なえなかった場合に前記検索手段により検索した類似画像に対応する付加情報を出力することを特徴とする。
【手続補正１１】
【補正対象書類名】明細書
【補正対象項目名】００２６
【補正方法】変更
【補正の内容】
【００２６】
また、請求項１９の発明は、請求項１４の発明において、前記抽出手段により抽出されたデジタルコード情報により示される付加情報と前記検索手段により検索された類似画像に対応する付加情報との両方を出力することを特徴とする。
【手続補正１２】
【補正対象書類名】明細書
【補正対象項目名】００２８
【補正方法】変更
【補正の内容】
【００２８】
また、請求項２１の発明は、請求項１３の発明において、前記付加情報送信手段により送信される付加情報は、情報が蓄積されている場所を示す場所情報であることを特徴とする。
【手続補正１３】
【補正対象書類名】明細書
【補正対象項目名】００３０
【補正方法】変更
【補正の内容】
【００３０】
また、請求項２３の発明の携帯端末の制御方法は、デジタルコード情報が含まれた画像を撮影手段により撮影し、前記撮影手段により撮影した画像の画像情報を送信手段により外部装置に送信し、前記送信手段により送信した画像情報に含まれるデジタルコードに対応する付加情報を付加情報入力手段により入力することを特徴とする。
【手続補正１４】
【補正対象書類名】明細書
【補正対象項目名】００３１
【補正方法】変更
【補正の内容】
【００３１】
また、請求項２４の発明は、請求項２３の発明において、前記付加情報入力手段により入力された付加情報は、情報が蓄積されている場所を示す場所情報であり、該場所情報は情報の送信を要求するために用いられることを特徴とする。  
また、請求項２５の発明の情報処理プログラムは、デジタルコード情報が含まれた画像情報を入力するステップと、該入力された画像情報の画像を撮影した携帯端末を特定する特定情報を入力するステップと、前記入力された画像情報からデジタルコード情報を抽出するステップと、該抽出したデジタルコード情報に対応する付加情報を付加情報出力手段により前記特定情報により特定される携帯端末に向けて出力するステップとを含む情報処理をコンピュータにより実行させることを特徴とする。